(57)【要約】      （修正有）【課題】実用的に携帯でき、必要に応じて装飾性を備えた携帯用靴べらを提供する。【解決手段】靴べら本体とこれに着脱可能なストラップを含む携帯用靴べらである。この携帯用靴べらは、環状の紐部分（ａ−１）と、この紐部分（ａ−１）を収束して収納する固定用部材（ａ−２）とを有するストラップ（ａ）と、前記固定用部材を着脱可能に係止するストラップ係止部を有する薄板形状で携帯可能な大きさの靴べら本体（ｂ）を含む。【選択図】図１
0003212295.tif 000002
【実用新案登録請求の範囲】
【請求項１】
着脱可能なストラップを有する携帯用靴べら。
【請求項２】
環状の紐部分（ａ−１）と、この紐上にあるか紐を収束して収納する固定部材（ａ−２）とを有するストラップ（ａ）と、前記固定部材を着脱可能に係止するストラップ係止部を有する薄板形状で携帯可能な大きさの靴べら本体（ｂ）を含む請求項１に記載の携帯用靴べら。
【請求項３】
前記係止が、フック留め、スナップ留め、ラッチ留め、ネジ留め、マジックテープ留めのいずれかである請求項２に記載の携帯用靴べら。
【請求項４】
前記ストラップの環状の紐部分を携帯電話またはスマートフォンに係止した際に、靴べら本体が携帯電話またはスマートフォンの保持部材として機能する請求項２に記載の携帯用靴べら。
【請求項５】
靴べら本体が印刷を施した樹脂板、セラミック板、木板、ガラス板、硬質ゴムまたは金属板である請求項２に記載の携帯用靴べら。
【請求項６】
靴べら本体に施された印刷が各面において特定の物品の表裏の画像である請求項５に記載の携帯用靴べら。
【請求項７】
靴べら本体に施された印刷または樹脂もしくはセラミックもしくは木もしくはガラスもしくは硬質ゴムが蓄光材料を含む請求項５に記載の携帯用靴べら。
【考案の詳細な説明】
【技術分野】
【０００１】  本考案は、携帯用靴べらに関する。
【背景技術】
【０００２】  靴べらは、細長い薄板状部材に取手を付けたものであり、本来は、立ったまままたは中腰になった状態で取手を把持したときに、その他端（遠位端）が靴内に挿入できる程度の長さを有するものである。しかし、そのような大きさ（長さ）の靴べらを普段から持ち運ぶのは不便である。【０００３】  もっとも、靴べらを用いることなく靴を履く習慣がついてしまうと、靴のかかと側を押しつぶしてしまったり、靴を無理して履こうとしてつま先を路面に打ち付けてしまうなど靴のダメージが大きくなる。このため、屈み込んで使えば足を靴内に円滑に誘導できる程度まで小型化（短小化）した携帯用靴べらも販売されている。【０００４】  しかし、そのような携帯用靴べらでも、これを服のポケットに入れた場合、嵩張って不便であるし、そもそも普段からポケットに入れておく程の頻度で使用するものではない。一方で、カバンなどにしまった場合はカバンの中に紛れてしまうことも多く、使いたいときにすぐに取り出せず使い勝手が悪い。【０００５】  そこで、従来、靴べらの携帯性を高めるための様々な提案がなされてきた。
例えば、特許文献１及び２は携帯電話本体に収納部を設け、そこに靴べらを収納することを提案している。また、特許文献３及び４は靴本体に収納部を設け、そこに靴べらを収納することを提案している。【０００６】  しかし、特許文献１及び２の提案は、携帯電話が二つ折り式の時代のものであり、単板式のスマートフォンが多用されている現在では非現実的である。また、このような構成では携帯電話の薄型化に限界をつくってしまい、現状にそぐわない。また、特許文献３及び４は靴の加工に手間を要する。【０００７】  このように、従来の携帯用靴べらはいずれも合理的な使用に耐えないもので実際に普及していない。
【先行技術文献】
【特許文献】
【０００８】
【特許文献１】実用新案登録第３１４６７９９号
【特許文献２】特開２００８−２４４５７７号公報
【特許文献３】特開２０１４−７３３４８号公報
【特許文献４】特開２０１４−５４３３６号公報
【考案の概要】
【考案が解決しようとする課題】
【０００９】  本考案は上記の課題を解決するためになされたものであって、持ち運びが容易であるとともに必要な時には直ちに使用できる、実用性に優れた携帯用靴べらを提供することを目的とする。
【課題を解決するための手段】
【００１０】  上記の課題を解決するために本考案は、以下の靴べらを提供する。
［１］着脱可能なストラップを有する携帯用靴べら。
［２］環状の紐部分（ａ−１）と、この紐上にあるか紐を収束して収納する固定部材（ａ−２）とを有するストラップ（ａ）と、前記固定部材を着脱可能に係止するストラップ係止部を有する薄板形状で携帯可能な大きさの靴べら本体（ｂ）を含む前記［１に記載の携帯用靴べら。
［３］前記係止が、フック留め、スナップ留め、ラッチ留め、ネジ留め、マジックテープ留めのいずれかである前記［２］に記載の携帯用靴べら。
［４］前記ストラップの環状の紐部分を携帯電話またはスマートフォンに係止した際に、靴べら本体が携帯電話またはスマートフォンの保持部材として機能する前記［２］に記載の携帯用靴べら。
［５］靴べら本体が印刷を施した樹脂板、セラミック板、木板、ガラス板、硬質ゴムまたは金属板である前記［２］に記載の携帯用靴べら。
［６］靴べら本体に施された印刷が各面において特定の物品の表裏の画像である前記［５］に記載の携帯用靴べら。
［７］靴べら本体に施された印刷または樹脂もしくはセラミックもしくは木もしくはガラスもしくは硬質ゴムが蓄光材料を含む前記［５］に記載の携帯用靴べら。
【考案の効果】
【００１１】  本考案の携帯用靴べらは、携帯電話、スマートフォン、カバン、ベルトなどに取り付け可能なので持ち運びが容易であるとともに必要な時には直ちに使用できる。このため、実用性に優れた携帯用靴べらとなっている。また、印刷を施すことでデザイン性が増し、携帯時、ストラップとしての違和感が解消される。さらに、携帯電話（スマートフォンを含む。以下同じ）に装着したときに、携帯電話と靴べらの間の空間に手が位置することによって安定的に携帯電話を保持できる。
【図面の簡単な説明】
【００１２】
【図１】本考案の一態様における靴べらの装着状態における構造を示す正面図、側面図、端面図及び図中Ａ−Ａにおける断面図である。
【図２】図１の態様における靴べらの装着状態における斜視図である。
【図３】図１の態様における靴べらの非装着状態における構造を示す正面図である。
【図４】本考案の他の態様における靴べらの装着状態における構造を示す正面図、側面図、端面図及び図中Ｂ−Ｂにおける断面図である。
【図５】図４の態様における靴べらの装着状態における斜視図である。
【図６】図４の態様における靴べらの非装着状態における構造を示す正面図である。
【図７】靴べらを携帯電話（図示していない）に装着した状態における手と靴べらの位置関係を示す模式的斜視図である。
【考案を実施するための形態】
【００１３】  以下、本考案の実施の形態を、図面を用いて説明する。
まず、図１〜３において、本考案の靴べらの構造を模式的に示す。
図１は携帯用靴べらに着脱可能なストラップを装着した状態（正面図、側面図、端面図及び断面図）であり、図２はその斜視図、図３はストラップを離脱させた状態の正面図である。
【００１４】  図１及び図２に示すように、本考案の携帯用靴べら１０は、着脱可能なストラップ１と靴べら本体３及びその接合部２からなる。
【００１５】  ストラップ１は繊維をより合わせてつくったより糸でも、可撓性のあるプラスチック、ゴムもしくは金属などの人工材料または天然材料の単一糸でもよい（以下、より糸と単一糸を併せて紐という）。繊維をよって紐としている場合、その繊維は十分な強度と可撓性のある材質であれば特に限定されない。靴べら本体３については後述するが、基本的には薄板部材である。
【００１６】  ストラップ１は、上記紐部分と、この紐上にあるかそれを収束して収納する固定部材とを有する。固定部材は図３について言えば係止部４である。ここで、「この紐上にある」とは紐の一部を挟んでいたり、リング状に紐の一部を包囲していたり、紐に固定されているなど、紐に密接して備えられていることを意味する。「収束して収納する」とは、ストラップ１の主要部分である紐を環状となるように収納することを意味する。固定部材は紐を環状のまま固定的に収納するものであってもよいし、環状を一時的に解いて線状にもできる構造を有してもよい。
【００１７】  ストラップを用いて靴べらを様々な携帯物品に装着することができる。携帯物品の典型例としては携帯電話、カバン、ベルトなどが挙げられるが、これらに限定されない。環状紐の大きさ（紐の長さ）は対象物に装着するのに必要な長さとする。
【００１８】  図３に示すように、着脱可能なストラップ１と靴べら本体３及びその接合部２は、この図に示す態様では、嵌め込み式のフック部材のオスとメスの組み合わせになっている。図では、本体３が押し込み可能な板バネ状の爪部５を有し、ストラップ１が前記爪部に対応する係止部４を有し、前者を後者に挿入したときに、爪部５が内側に押し込まれた後、後者の係止部４内において、板バネの復元力により爪部５が係止部４内に係止される仕組みになっている。また、係止部４には押し込み可能な解除部６が含まれており、解除部６を押し込むことにより、爪部５が内側に押し込まれて係止部４との係止が解除される。
【００１９】  図１〜３では、本体３に板バネ状の爪部５を有し、ストラップ１が前記爪部に対応する係止部４を有するが、逆に、ストラップ１が板バネ状の爪部を有し、本体３が前記爪部に対応する係止部を有してもよい。この場合は、ストラップ１の端部が本体３の端部に挿入されることになる。
【００２０】  また、係止構造は、ここでは嵌め込み式のフック留め構造を示したが、２部材を容易に着脱できる係止構造はすべて本考案に含まれる。例えば、フック留めはカラビナ様の機構でもよい。また、スナップボタンのオスとメスを組み合わせたスナップ留め構造でもよいし、ストラップの固定部と靴べら本体の係止部をそれぞれ横穴を有する凹型凸型形状とし、係止位置においてこれら凹型凸型部材を嵌め合わせ（この状態で前記横穴が一貫するようにする）、これらを貫く横穴に棒状部材を嵌めて両者を固定するラッチ留めでもよい。あるいは、スクリューロックを用いたネジ留めでもよいし、マジックテープを用いたマジックテープ留めでもよい。
【００２１】  靴べら本体３は、靴を履く際、踵（かかと）と靴の踵部分の間に挿入して足が靴内に収納されるのをガイドする部材であり、基本的には薄板である。薄板の材質は、前記ガイドの目的を達するものであれば限定されないが、例えば、樹脂板、セラミック板、木板、ガラス板、硬質ゴムまたは金属板である。樹脂としては特に限定されず、例えば、塩化ビニル樹脂・ポリプロピレン・ポリエチレン・変性ＰＰＥ・ポリスチレン・ＡＢＳ樹脂・アクリル樹脂・ポリカーボネート・ポリアミド・ポリアセタール・ポリエチレンテレフタレート・ポリブチレンテレフタレート等が挙げられるが、アクリル樹脂やポリカーボネート樹脂等の透明性及び強度に優れた材料が好ましい。
【００２２】  薄板の厚みは一般的には１ｍｍ〜５ｍｍ程度、好ましくは１．５ｍｍ〜３，５ｍ程度である。幅Ｗは靴内に挿入可能な程度であり、一般的には３０ｍｍ以下である。薄板は好ましくは湾曲面を有する。
【００２３】  靴べら本体３には印刷を施すことが好ましい。これにより、靴べらを携帯電話に装着した場合でも違和感なく使用できる。
印刷による加飾は特に限定されず、例えば、タイル状、木目調、石材（例えば、大理石や砂岩）調としたり、花柄、格子柄、水玉その他の一定のデザインや風景や人物・動物等の写真を印刷したり、光沢・ホログラム等を設けることができる。
【００２４】  この際、靴べら本体に施された印刷が各面（表と裏）において特定の物品の表裏の画像であることも好ましい。ここで特定の物品の表裏の画像とは、例えば、人物やキャラクター、動物などの前からの姿と後ろ姿、絵画や彫刻、建築物などの前面と背面などである。通常は後ろ姿や背面が存在しない絵画（例えば、屏風絵や浮世絵）や目に触れる機会の少ないもの（例えば、仏像）の前後面を提示することにより、デザイン的に興味を惹く靴べらにできる。
【００２５】  また、蛍光・蓄光材料等の機能性インクにより印刷したり、材料自体に含有させることによる加飾も可能である。
【００２６】  靴べら本体３の形状は靴べらとしての機能を果たし得るものであれば限定されない。例えば、図４〜図６に示すようなナス状でもよい。
【００２７】  図７に示すように、本考案の靴べらを携帯電話（図示していない）に装着したときに、携帯電話と靴べらの間の空間に手９が位置することによって安定的に携帯電話を保持できる。
この場合、靴べら機能に障害を来さない限りにおいて、表面にポッティングで凹凸を設けるなどして立体的な凹凸を設けても把持性を高めてもよい。
【産業上の利用可能性】
【００２８】  本考案の靴べらは、老若男女を問わず携帯が容易であり、様々な状況において幅広く利用できる。
【図１】
0003212295.tif 000003
【図２】
0003212295.tif 000004
【図３】
0003212295.tif 000005
【図４】
0003212295.tif 000006
【図５】
0003212295.tif 000007
【図６】
0003212295.tif 000008
【図７】
0003212295.tif 000009
【手続補正書】
【提出日】平成29年6月26日(2017.6.26)
【手続補正１】
【補正対象書類名】実用新案登録請求の範囲
【補正対象項目名】全文
【補正方法】変更
【補正の内容】
【実用新案登録請求の範囲】
【請求項１】
靴べら本体とこれに着脱可能なストラップを含む携帯用靴べら。
【請求項２】
環状の紐部分（ａ−１）と、この紐部分（ａ−１）を収束して収納する固定用部材（ａ−２）とを有するストラップ（ａ）と、前記固定用部材を着脱可能に係止するストラップ係止部を有する薄板形状で携帯可能な大きさの靴べら本体（ｂ）を含む請求項１に記載の携帯用靴べら。
【請求項３】
前記係止が、フック留め、スナップ留め、ラッチ留め、ネジ留め、面ファスナー留めのいずれかである請求項２に記載の携帯用靴べら。
【請求項４】
前記ストラップの環状の紐部分を携帯電話またはスマートフォンに係止した際に、靴べら本体が携帯電話またはスマートフォンの保持部材として機能する請求項２に記載の携帯用靴べら。
【請求項５】
靴べら本体が印刷を施した樹脂板、セラミック板、木板、ガラス板、硬質ゴムまたは金属板である請求項２に記載の携帯用靴べら。
【請求項６】
靴べら本体に印刷されたものが各面において特定の物品の表裏の画像である請求項５に記載の携帯用靴べら。
【請求項７】
靴べら本体に印刷された印刷材料または印刷が施された樹脂もしくはセラミックもしくは木もしくはガラスもしくは硬質ゴムが蓄光材料を含む請求項５に記載の携帯用靴べら。